(57)【要約】【課題】収納ボックスの収納容量の増加を図り、見栄えのよい収納ラックを提供する。【解決手段】略同じ大きさの矩形に形成した摺動用フレームと懸架用フレームを、フレームの前後辺のスペーサーを介して２段の支持フレームに構成し、下段の懸架用フレームに有底のフレキシブルボックスを取り付けて収納ボックスを構成する。フレキシブルボックスは、柔軟シート材で底部と側壁部とからなる有底のボックス本体を形成し、各側壁部の上端縁に係止部材を有する懸架用帯片を連設してなり、左右の懸架用帯片は懸架用フレームに係着し、前後の懸架用帯片は両方のフレームに係着して取り付ける。矩形の一対の側枠の前後を連結部材で連結して枠体を構成し、天板を覆設し、側枠内側に支持レールを対向段設し、支持レールの溝に摺動用フレームの左右端を挿入して、収納ボックスをスライド自在に収容して収納ラックを構成する。【選択図】図１
2008099854.tif 000002
【特許請求の範囲】
【請求項１】
棒材を矩形に折曲して略同じ大きさに形成した上段の摺動用フレームと下段の懸架用フレームを、各フレームの前後辺に設けたスペーサーを介して所定距離だけ離して上下２段の支持フレームに構成すると共に、下段の懸架用フレームに上方開口で有底のフレキシブルボックスを取り付けるようにしたことを特徴とする収納ボックス。
【請求項２】
上記スペーサーにおいて、前辺に設ける前側スペーサーは、棒材を凸状に折曲してなり、上記各フレームの左右幅と同じ長さとし、その左右端を上記摺動用フレームと懸架用フレームの間に固定したものであり、後辺に設ける後側スペーサーは、上記摺動用フレームの左右端に所定の距離を残して上記摺動用フレームと懸架用フレームの間に固定したものである請求項１記載の収納ボックス。
【請求項３】
上記フレキシブルボックスは、柔軟シート材で底部と周囲の側壁部とからなる上方開口の有底のボックス本体を形成し、該ボックス本体の各側壁部の上端縁に係止部材を有する懸架用帯片を連設してなり、左右の懸架用帯片は上記懸架用フレームの左右辺を抱持するように折り曲げて係止部材で係着し、前後の懸架用帯片は上記摺動用フレームと懸架用フレームの両方の前後辺を抱持するように折り曲げて係止部材で係着して、前記フレキシブルボックスを前記支持フレームに取り付けるようにしたものである請求項１または請求項２記載の収納ボックス。
【請求項４】
係止部材は一対の面ファスナーである請求項３記載の収納ボックス。
【請求項５】
フレキシブルボックスの底部に底板を有する請求項１から請求項４のいずれか１項記載の収納ボックス。
【請求項６】
棒材を矩形に組み立てた左右一対の側枠の上端および下端の前後を連結部材で連結して直方体状の枠体を構成し、上面に天板を覆設し、左右側枠の内側に所定の間隔をおいて断面コの字状の支持レールを対向段設し、該支持レールの溝に上記収納ボックスの支持フレームの上段の摺動用フレームの左右端を挿入して、収納ボックスをスライド自在に収容したことを特徴とする収納ラック。
【発明の詳細な説明】
【技術分野】
【０００１】
この発明は、各種物品の整理・収納に用いられ、扁平に折り畳むことのできる収納ボックス、および、多段に組み立てられた枠体の各段にこの収納ボックスを引出自在に挿入するようにした収納ラックに関するものである。
【背景技術】
【０００２】
従来、衣類その他の物品を整理・収納するため、引き出しを多段に設けた収納ラックが多数提案されている。例えば、特許文献１に開示された組立収納ケースは、複数の台枠を、これに形成した複数の連結部に立設した支柱を介して多段に組み立てて、これら台枠間に収納箱を引出可能に挿入するようにしたものである。この組立収納ケースは、不使用時あるいは販売時等には分解してコンパクト化され、使用時には一般需要者が容易に組み立てることができるようになっている。しかしながら、この種の組立収納ケースは、台枠や支柱は分解可能であるが、最も嵩の高い収納箱は、合成樹脂を一体成型したものがほとんどであったから、製造業者が製造後、保管・運搬等する場合、なお、大きな容積を必要とするものであった。
【０００３】
また、収納ボックスを折り畳み自在にしたものとして、例えば特許文献２に開示されたものがある。この収納ボックスは、柔軟シート材で形成した方形の底壁部をその対角線で区分けされた点対称の二つの直角三角形の底壁部分に分割すると共に、分割された角底壁部分の対向斜辺部に該対向斜辺部を開閉自在とするスライドファスナーを装着し、且つ、各側壁部の平板形状を保持できる構造とすると共に、各側壁部の各角部を折り畳み自在な折畳み屈曲部としたものである。かかる構造の収納ボックスは、スライドファスナーを開くことにより扁平に折り畳み可能で保管に便利であり、使用時には組み立てて単独で、あるいは、別途多段状に設けた収納ラックに収容して使用できる。
【０００４】
一方、これらの収納ボックスを枠体に収容する構造としては、上記特許文献１、２に示されているように、各段ごとに棚板（台枠）を設け、その上をスライドさせて収容するようにしたものが一般的であるが、それでは構成部材の点数が多くなるという問題が残る。そのため、例えば、特許文献３に示すように、一対の側板の対向位置にそれぞれ上下に並んで複数の支持桟を設け、その支持桟に収納箱の上縁をスライド自在に係合させるようにしたものがある。しかしながら、特許文献３に示したものの場合、支持桟には引出しや網かごを支持するようにしたものであるため、引出しや網かごが嵩高く、保管や運搬に相応のスペースを必要とするという問題が残されている。
【０００５】
そのため、例えば図４〜６に示すように、布製の収納ボックスおよびこの収納ボックスを支承する収納ラックが提案されている。図４は収納ボックスの分解斜視図、図５（Ａ）は収納ボックスの正面図，（Ｂ）は（Ａ）で示すａ−ａ部分の拡大断面図である。また、図６は、この収納ボックスを複数収容する収納ラックの正面図である。
【０００６】
図４、５において、３１は支持フレームであり、例えば直径５ｍｍ程度のスチール棒を角丸の矩形に折曲してなるフレーム本体３２の対向する２辺より少し内側の下面に、該各辺と平行に同じスチール棒からなる懸架用フレーム３３・３３を架設したものである。３４は布製ボックスであり、上方を開口した有底ボックス本体３５と、その開口縁に連設される懸架用帯片３６、３７からなるものである。ボックス本体３５は、強靱な布で底部３８と周囲の側壁部３９・・・を縫合形成して有底の箱型としたもので、上面に上記支持フレーム３１の懸架用フレーム３３・３３間の幅に相応した開口部を有する。３６・３６はボックス本体３５の対向する左右の側壁部３９・３９の上端縁に連設された懸架用帯片で、その上縁内側の長手方向に係止部材として面ファスナー４０を設けたものである。また、上記側壁部３９の上端縁に対応する面ファスナー４１を設け、この懸架用帯片３６を上記懸架用フレーム３３を抱持するように折り曲げて面ファスナー４０・４１を係着させる（図５参照）。３７・３７はボックス本体３５の対向する前後の側壁部３９・３９の上端縁に連設された懸架用帯片で、同様に、その上縁内側の長手方向に係止部材として面ファスナー４２を設けたものである。また、上記側壁部３９の上端縁に対応する面ファスナー４３を設け、この懸架用帯片３７を上記フレーム本体３２の前後辺を抱持するように折り曲げて面ファスナー４２・４３を係着させる。これらにより、布製ボックス３４を支持フレーム３１に取り付けて収納ボックスとする。また、４４はボックス本体の内側底部に設ける底板で、物品を収納した時に底部３８が変形して垂れ下がらないようにするものである。なお、４５はボックス本体３５の前面に取り付ける引き手である。
【０００７】
上記構成の収納ボックスは、例えば図６に示すように、適宜な枠体にスライド自在に取り付けて収納ラックを構成する。即ち、図６において、４６・４６は左右一対の側枠で、上端および下端の前後を連結部材４７・・・で連結して直方体状の枠体４８を構成している。また、４９は天板である。５０・・・は、それぞれの側枠４６の内側に所定の間隔をおいて対向段設した支持レールで、内側に向かって溝を有する断面コの字状としたものである。そして、上記収納ボックスの支持フレーム３１の左右端をそれぞれ上記支持レール５０の溝に挿入することで、収納ボックスを引き出しとしてスライド自在に収容する収納ラックが完成する。
【０００８】
この収納ラックは、収納ボックスは支持フレーム３１と布製ボックス３４に分解され、布製ボックス３４を折り畳むことにより扁平状となる。また、枠体４８も分解すればそれぞれ棒状体となる。従って、分解時にはコンパクト化され、保管や運搬に際して、大きなスペースを必要としない。
【０００９】
【特許文献１】特開平１１−８９６４８号公報
【特許文献２】特開２００６−１５１４９６号公報
【特許文献３】特開平９−２３４１３１号公報
【発明の開示】
【発明が解決しようとする課題】
【００１０】
上述したように、図４〜６に示したような収納ボックスおよび収納ラックは、保管や運搬に関してはコンパクト化が期待できるものである。しかしながら、図５、６からも明らかなように、構造上、収納ボックスの横幅に対して、支持フレーム３１が左右に突出し、この支持フレーム３１を支持レール５０で支承することになる。即ち、枠体の内側幅に対して収納ボックスの幅をかなり小さくする必要があるので、収納ボックスの収納可能容積が枠体４８の大きさに比べて少なくなってしまうという問題があった。さらに、側枠４６と収納ボックスの間に支持フレーム３１の突出した大きさだけ間隙が生じるので、外観上見栄えが悪いという問題もある。
【００１１】
本発明は、従来の収納ボックスおよび収納ラックが有するこのような問題点を解決するためなされたものであり、個々の収納ボックスの収納容量の増加を図ると共に、枠体に収容した場合も、上述したような間隙を生じさせず、見栄えのよい収納ラックを提供することを目的としたものである。
【課題を解決するための手段】
【００１２】
上述した課題を解決するため、本発明は、棒材を矩形に折曲して略同じ大きさに形成した上段の摺動用フレームと下段の懸架用フレームを、各フレームの前後辺に設けたスペーサーを介して所定距離だけ離して上下２段の支持フレームに構成すると共に、下段の懸架用フレームに上方開口で有底のフレキシブルボックスを取り付けるようにして収納ボックスを構成するという手段を採用した。
【００１３】
また、上記スペーサーにおいて、前辺に設ける前側スペーサーは、棒材を凸状に折曲してなり、上記各フレームの左右幅と同じ長さとし、その左右端を上記摺動用フレームと懸架用フレームの間に固定したものであり、後辺に設ける後側スペーサーは、上記摺動用フレームの左右端に所定の距離を残して上記摺動用フレームと懸架用フレームの間に固定するという手段を採用した。
【００１４】
さらに、上記フレキシブルボックスは、柔軟シート材で底部と周囲の側壁部とからなる上方開口の有底のボックス本体を形成し、該ボックス本体の各側壁部の上端縁に係止部材を有する懸架用帯片を連設してなり、左右の懸架用帯片は上記懸架用フレームの左右辺を抱持するように折り曲げて係止部材で係着し、前後の懸架用帯片は上記摺動用フレームと懸架用フレームの両方の前後辺を抱持するように折り曲げて係止部材で係着して、前記フレキシブルボックスを前記支持フレームに取り付けるようにするという手段を採用した。
【００１５】
そして、この係止部材は一対の面ファスナーとするという手段を採用した。
【００１６】
さらに、上記収納ボックスにおいて、フレキシブルボックスの底部に底板を有するという手段を採用した。
【００１７】
一方、棒材を矩形に組み立てた左右一対の側枠の上端および下端の前後を連結部材で連結して直方体状の枠体を構成し、上面に天板を覆設し、左右側枠の内側に所定の間隔をおいて断面コの字状の支持レールを対向段設し、該支持レールの溝に上記収納ボックスの支持フレームの上段の摺動用フレームの左右端を挿入して、収納ボックスをスライド自在に収容して収納ラックを構成するという手段を採用した。
【発明の効果】
【００１８】
上記構成にかかる収納ボックスは、扁平な支持フレームと折り畳み自在なフレキシブルボックスからなるので、保管や運搬時にはコンパクト化され、大きなスペースを必要としないという利点がある。また、支持フレームの大きさと同じ開口部を有することになるので、収容可能容積を大きくすることができた。
【００１９】
また、前側スペーサーは各フレームの左右幅と同じ幅であるので、収納ラックに引き出しとして収容する場合、支持レールに当接してストッパーとしての機能を果たすものである。また、突出した部分は引き手として機能する。一方、後側スペーサーは摺動用フレームの左右端に所定の距離を残して設けるので、該左右端が支持レールに係入して支持レール上をスライドするものである。
【００２０】
また、フレキシブルボックスは、柔軟シート材で箱型に構成するので、自由に扁平に折り畳み可能であり、各側壁部の上端縁に設けた懸架用帯片で支持フレームの各辺に固定するので、強固に固定され、収納ボックスとすることができる。
【００２１】
さらに、底部に底板を設けることで、底部が平板となり、物品を収納した場合も箱型形状を維持する。
【００２２】
一方、上記構成の収納ボックスを利用して収納ラックを構成した場合には、支持フレームを２段とし、上段の摺動用フレームを支持レールの溝に挿入してスライドさせ、同じ大きさの懸架用フレームにフレキシブルボックスを取り付けているので、ボックス本体の横幅を左右側枠の距離とほぼ同じにすることができる。そのため、従来のこの種の収納ラックより大きな収容可能容積を確保することが可能となった。
【００２３】
また、収納ラックに収納ボックスを収容する際、両側枠と収納ボックスの間に間隙を生じないので、余分な空間がなく、外観上の見栄えがよくなるという利点がある。
【００２４】
さらに、枠体は分解すればそれぞれ棒状体となり、収納ボックスも折り畳み可能であるので、分解時にはコンパクト化され、保管や運搬に際して大きなスペースを必要としないものである。そのため、保管や運搬にかかるコストの削減が期待できるものである。
【発明を実施するための最良の形態】
【００２５】
以下、本発明に係る収納ボックスおよび収納ラックの好ましい実施形態を、図１〜３に従って説明する。図１は本発明の収納ボックスの分解斜視図である。また、図２（Ａ）は組み立てた収納ボックスの正面図、同図（Ｂ）は（Ａ）で示すａ−ａ部分の拡大断面図である。
【００２６】
図において、１は支持フレームであり、略同じ大きさの摺動用フレーム２と懸架用フレーム３を下述するスペーサー４、５を介して所定距離だけ離して上下２段に構成したものである。この摺動用フレーム２および懸架用フレーム３は、例えば直径５ｍｍ程度のスチール棒を角丸の矩形に折曲して形成してなるものである。４は前側スペーサーで、上記各フレームと同じスチール棒を凸状に折曲してなり、上記各フレームの左右幅と同じ長さとし、その左右端４ａ・４ａを２段のフレーム間に溶接等で固定している。この左右端４ａ・４ａは、後述するように、収納ラックを構成してその支持レールに挿入する場合、ストッパーの役目を果たすものである。また、前方に突出した部分４ｂは、収納ボックスを構成して引き出しとした場合の引き手として機能する。５は後側スペーサーで、上記各フレームの左右幅より短いスチール棒を２段のフレーム間に溶接等で固定したものである。これは摺動用フレーム２の左右端を残して、下述する支持レールの溝に挿入してスライドさせるためである。この後側スペーサー５は、必ずしも図示したような１本の棒材である必要はなく、適当長さのスチール棒を複数個所に分けて固定するようにしてもよい。但し、その場合であっても、少なくとも各フレームの左右端より少し距離を置いた内側に必ず設けることが好ましい。これは後述するように、下側の懸架用フレームに下方向の荷重が掛かるので、懸架用フレームが下方に撓んで両フレームが互いに乖離しないようにするためでもある。
【００２７】
次に、６はフレキシブルボックスであり、上方を開口した有底のボックス本体７とその開口縁に連設される懸架用帯片８、９からなるものである。ボックス本体７は、強靱な布またはそれに準じる合成樹脂シート等の柔軟シート材で底部１０と周囲の側壁部１１・・・を縫合形成等して有底の箱型としたもので、上面に上記支持フレーム１の大きさに相応した大きさの開口部を有する。柔軟シート材で構成するため、自由に扁平に折り畳み可能である。８・８はボックス本体７の対向する左右の側壁部１１・１１の上端縁に連設された懸架用帯片で、その上縁内側の長手方向に係止部材として面ファスナー１２を設けたものである。また、上記側壁部１１・１１の上端縁に、上記面ファスナー１２と対応して対となる面ファスナー１３を設けている。この懸架用帯片８・８を上記支持フレーム１の下段の懸架用フレーム３に対して外側から内側に抱持するように折り曲げて面ファスナー１２・１３を係着させることでボックス本体７を支持フレーム１に取り付ける（図２（Ｂ）参照）。９・９はボックス本体７の対向する前後の側壁部１１・１１の上端縁に連設された懸架用帯片で、その上縁内側の長手方向に係止部材として面ファスナー１４を設けたものである。また、上記側壁部１１・１１の上端縁に、上記面ファスナー１４と対応して対となる面ファスナー１５を設けている。この懸架用帯片９・９は、上記支持フレーム１の上段の摺動用フレーム２および懸架用フレーム３の両方に対して外側から内側に抱持するように折り曲げて面ファスナー１４・１５を係着させることでボックス本体７を支持フレーム１に取り付ける。これにより、左右の懸架用帯片８・８は懸架用フレーム３に、前後の懸架用帯片９・９は摺動用フレーム２に懸架することになり、フレキシブルボックス６を支持フレーム１に強固に取り付けることができ、収納ボックスが完成する（図２（Ａ）参照）。なお、１６はボックス本体７の内側底部１０に設ける底板であり、例えば合成樹脂板等で構成するものであるが、物品を収納した時に底部１０を平板に保持し、箱型形状を維持するようにしたものである。かかる構成により、収納ボックスは組立時には十分な収容容積を確保できると共に、保管・運搬時には分解して扁平状に折り畳むことが可能で、コンパクト化され大きなスペースを必要としないものとなる。
【００２８】
なお、上記構成では面ファスナーの係着により懸架用帯片８、９を各フレームに取り付けているが、係止部材は面ファスナーに限定するものではなく、雌雄一対のホックやこれに類する係止具を列設して固定するようにしてもよい。また、上例では側壁部１１には支持部材を設けていないが、各側壁部１１に平板状または枠状の形状維持部材を添着して側壁部を自立できるようにすれば、上記収納ボックス単独で、箱型形状を維持して各種物品を収納できる収納ボックスとして利用することができるようになる。
【００２９】
次に、図３は上記構成の収納ボックスを利用して収納ラックを構成したものである。図３において、１７・１７は棒材を矩形に組み立てた左右一対の側枠で、上端および下端の前後を連結部材１８・・・で連結して直方体状の枠体１９を構成している。また、２０は枠体１９の上面に覆設した天板である。２１・・・は左右の側枠１７の内側に所定の間隔をおいて対向段設した支持レールで、内側に向かって溝２１ａを有する断面コの字状としたものである。そして、上記収納ボックスの支持フレーム１の上段の摺動用フレーム２の左右端をそれぞれ上記支持レール２１の溝２１ａに挿入することで、収納ボックスをスライド自在に収容する収納ラックが完成する。この場合、前側スペーサ４の突出部分４ｂは引き手として機能するので、収納ボックスを引き出しとして利用可能となり、また、収納ボックスを収容する際に、前側スペーサー４の左右端４ａ・４ａが支持レール２１の前端に当接するので、ストッパーとして機能し、収納ボックスを押し込んでも支持レール２１の奥まで押し込まれることがない。
【００３０】
かかる構成の収納ラックは、その支持レール２１に収容する収納ボックスにおいて、支持フレーム１の上段の摺動用フレーム２を支持レール２１の溝２１ａに挿入し、この摺動用フレーム２と同じ大きさの懸架用フレーム３にフレキシブルボックス６を懸架するように取り付けているので、ボックス本体７の横幅を左右の側枠１７間の距離とほぼ同じ大きさにすることが可能となる。そのため、図６に示した従来の収納ラックのように、収納ボックスの収納可能容積が枠体の大きさに比べて少なくなってしまうようなことがなく、大きな収容容積を確保できる。また、側枠１７と収納ボックスの間に間隙が生じないので、外観上も見栄えがよい。
【００３１】
さらに、枠体１９を分解すれば、それぞれ棒状体となるので、収納ボックスが折り畳み可能であることと併せて、分解時にはコンパクト化され、保管や運搬に際して大きなスペースを必要とせず、それらのコストの低減が期待できるものである。
【図面の簡単な説明】
【００３２】
【図１】本発明に係る収納ボックスの分解斜視図である。
【図２】（Ａ）は組み立てた収納ボックスの正面図、（Ｂ）は（Ａ）で示すａ−ａ部分の拡大断面図である。
【図３】上記収納ボックスを利用して収納ラックとした正面図である。
【図４】従来の収納ボックスの分解斜視図である。
【図５】（Ａ）は収納ボックスの正面図、（Ｂ）は（Ａ）で示すａ−ａ部分の拡大断面図である。
【図６】従来の収納ラックの正面図である。
【符号の説明】
【００３３】
１    支持フレーム
２    摺動用フレーム
３    懸架用フレーム
４    前側スペーサー
５    後側スペーサー
６    フレキシブルボックス
７    ボックス本体
８    懸架用帯片
９    懸架用帯片
１０    底部
１１    側壁部
１２    面ファスナー
１３    面ファスナー
１４    面ファスナー
１５    面ファスナー
１６    底板
１７    側枠
１８    連結部材
１９    枠体
２０    天板
２１    支持レール
【図１】
2008099854.tif 000003
【図２】
2008099854.tif 000004
【図３】
2008099854.tif 000005
【図４】
2008099854.tif 000006
【図５】
2008099854.tif 000007
【図６】
2008099854.tif 000008